(57)【要約】      （修正有）【課題】底部からの荷抜きに対する不正開封の防止・抑止に多大な効果が得られる不正開封防止機能付き組箱を提供する。【解決手段】上面視方形状の組箱であって、各側壁片１〜４の下縁に設けられた底フラップ１４、２４、３４、４４を９０度折り畳んだとき、接合点２６、４６で互いの小片が相手側の下に入るように交差結合して成り、隣合う一方の底フラップの糊代が他の底フラップの小片の糊代に重なって接着されると共に、前記とは別の隣合う一方の底フラップの糊代が他の底フラップ１４、２４、３４、４４の小片の糊代に重なって接着され、前記小片を有さない底フラップの先端部に延長部１５、３５を設けてある。【選択図】図５
2010047303.tif 000002
【特許請求の範囲】
【請求項１】
上面視方形状の組箱であって、各側壁片の下縁に設けられた底フラップを９０度折り畳んだとき、接合点で互いの小片が相手側の下に入るように交差結合して成り、隣合う一方の底フラップの糊代が他の底フラップの小片の糊代に重なって接着されると共に、前記とは別の隣合う一方の底フラップの糊代が他の底フラップの小片の糊代に重なって接着され、前記小片を有さない底フラップの先端部に延長部を設けてあることを特徴とする不正開封防止機能付き組箱。
【請求項２】
組箱の展開図において、延長部の先端位置までの長さを、底フラップの先端位置までの長さと一致又は略一致させてあることを特徴とする請求項１記載の不正開封防止機能付き組箱。
【請求項３】
延長部の先端部分は、円弧状に形成されていることを特徴とする請求項２記載の不正開封防止機能付き組箱。
【請求項４】
先端の円弧状部から離れた位置に凹部を設けてあり、前記両方の凹部相互の引っ掛かりにより、二番目の交差結合がなし得るようにしてあることを特徴とする不正開封防止機能付き組箱。
【請求項５】
組箱の上面視形状は正方形であることを特徴とする請求項１乃至３記載の不正開封防止機能付き組箱。
【発明の詳細な説明】
【技術分野】
【０００１】
この発明は、底部から商品の不正開封を防止する機能を有した組箱（この明細書では、不正開封防止機能付き組箱という）に関するものである。
【背景技術】
【０００２】
不正開封防止機能付き組箱については、例えば特許文献１に示すようなものがある。この組箱では組箱の上蓋を開封して、内部の商品を不正に抜き取られるのを防止するような工夫がなされている。
【０００３】
しかしながら、上記の如く上蓋を開封して商品を抜き取る方法では、商品抜き取り後に立てた状態で戻すと一目で不正に商品が抜き取られていることが判るため、近年では外部から判りにくい底部からの抜き取りが多くなっている。
【０００４】
なお、上記組箱では、底部において一対の接合点相互が噛み合っていると共に適所に糊付けされているが、外部に露出している小片を底フラップから引き離して更に強く引っ張ると、簡単に底部が不正開封されてしまうという問題が発生していた（特許文献１の図２参照）。
【０００５】
上記の如く底部で不正開封された状態では、商品の抜き取り後、組箱を立てた状態にもどされると、抜き取りの事実を知ることが困難であり、商品が抜き取られた事実を見つけることが遅れてしまう。
【特許文献１】実用新案登録第３１０２８１１号
【発明の開示】
【発明が解決しようとする課題】
【０００６】
そこで、この発明では、底部からの荷抜きに対する不正開封の防止・抑止に多大な効果が得られる不正開封防止機能付き組箱を提供することを課題とする。
【課題を解決するための手段】
【０００７】
（請求項１記載の発明）
この発明の不正開封防止機能付き組箱は、上面視方形状の組箱であって、各側壁片の下縁に設けられた底フラップを９０度折り畳んだとき、接合点で互いの小片が相手側の下に入るように交差結合して成り、隣合う一方の底フラップの糊代が他の底フラップの小片の糊代に重なって接着されると共に、前記とは別の隣合う一方の底フラップの糊代が他の底フラップの小片の糊代に重なって接着され、前記小片を有さない底フラップの先端部に延長部を設けてある。
（請求項２記載の発明）
この発明は、上記請求項１記載の発明に関し、組箱の展開図において、延長部の線端位置までの長さを、底フラップの先端位置までの長さと一致又は略一致させてある。
（請求項３記載の発明）
この発明は、上記請求項２記載の発明に関し、延長部の先端部分は、円弧状に形成されている。
（請求項４記載の発明）
この発明は、上記請求項３記載の発明に関し、先端の円弧状部から離れた位置に凹部を設けてあり、前記両方の凹部相互の引っ掛かりにより、二番目の交差結合がなし得るようにしてある。
（請求項５記載の発明）
この発明は、上記請求項１乃至４のいずれかの発明に関し、組箱の上面視形状は正方形である。
【発明の効果】
【０００８】
この発明は上記のような構成であり、次の効果を有する。
【０００９】
この不正開封防止機能付き組箱によると、底部からの荷抜きに対する不正開封の防止・抑止に多大な効果が得られる。
【発明を実施するための最良の形態】
【００１０】
以下、この発明の不正開封防止機能付き組箱を実施するための最良の形態を、図面に基づいて詳細に説明する。
【実施例１】
【００１１】
図１はこの不正開封防止機能付き組箱の主として上部側から見た斜視図、図２は前記組箱を主として底面側から見た斜視図、図３は前記組箱の展開図を、示している。
（この実施例の不正開封防止機能付き組箱の基本的構成について）
この不正開封防止機能付き組箱の上部に位置する商品取り出し部は以下のように構成されている。
【００１２】
この組箱は、図１や図３に示すように、上部側を正規の商品取り出し部としてあり、図３に示すように、側壁片１、２、３、４及び糊代片５から成る平面視正方形の筒体であり、両サイドに設けた蓋フラップ１１、３１を内側へ折り畳んだ状態で差込板４２を有した上蓋４１により上端開放部を塞ぐようにしている。なお、側壁片２の上端にジグザグ部２３を設けてある。
【００１３】
ここで、組箱の正面となる開封部を上記の如くジグザグ部２３の形状としているのは、これに貼られる図示しない封緘シールを破り難くすると共に不正開封された痕跡を残りやすくするためである。また、糊代片５（接着部）の上部を伸ばして（伸ばした部分を符号５８で示す）蓋フラップ１１の内面側に貼りつける形状とすることにより、ナイフなどによる糊代片５の切り離しが防止されるようにしている。
【００１４】
他方、この不正開封防止機能付き組箱の下部側は以下のように構成されている。
この組箱の下部側は、底フラップ２４，４４は、各側壁片１、２、３、４を９０度折り畳んだとき、接合点２６、４６で互いの小片２５、４５が相手側の下に入るように交差結合して成り、また底フラップ１４の糊代１７は小片２５の糊代２７に重なると共に、底フラップ３４の糊代３７は小片４５の糊代４７に重なって接着されるようにしてある。ここで、この不正開封防止機能付き組箱には、図３、図５、図６に示すように、本件の最大の特徴部分である底フラップ１４の先端部に延長部１５が設けられており、また底フラップ３４の先端部に延長部３５が設けられている。前記延長部１５は、図３に示すように、その先端部１５が円弧状に形成されていると共に先端の円弧状部から離れた位置に凹部１５ａを設けてあり、前記両方の凹部１５ａ、１５ａ相互の引っ掛かりにより、二番目の交差結合がなし得るようにしてある。
（不正開封防止機能付き組箱の展開図の説明）
図３は、不正開封防止機能付き組箱の展開図を示しているが、この展開図は内面側を示している。
【００１５】
この不正開封防止機能付き組箱は、図３に示すように、上下方向中央部に側壁片１、２、３、４と、前記側壁片４と隣合う糊代片５を設けてあり、これらはそれぞれ折り畳み線（符号ａ，ｂ，ｃ，ｄ）を介して接続してある。
【００１６】
上記側壁片１には、図３に示すように、上部側には蓋フラップ１１を、下部側には底フラップ１４をそれぞれ設けてあり、これらはそれぞれ折り畳み線（符号１０、１２）を介して接続してある。
【００１７】
上記側壁片２には、図３に示すように、その上辺部に上記したジグザグ部２３を具えていると共に、下部側には底フラップ２４を、折り畳み線（符号２２）を介して接続してある
上記側壁板３には、図３に示すように、その上部側に蓋フラップ３１を、下部側には底フラップ３４をそれぞれ設けてあり、これらはそれぞれ折り畳み線（符号３０、３２）を介して接続してある。
【００１８】
上記側壁板４には、図３に示すように、その上部側に上蓋４１及び差込板４２を、下部側には底フラップ４４を、さらに横側には糊代辺５を、それぞれ折り畳み線（符号４０、４２、ｄ）を介して接続してある。
【００１９】
また、図３に示すように、上記側壁辺１に内面側に上下方向に伸びる糊代１９を設けてあり、さらに糊代片５の外側面に上下方向に伸びる糊代５９を設けてある。
【００２０】
次に、底フラップ１４、２４、３４、４４について具体的に説明する。
【００２１】
図３に示すように、上記底フラップ１４、２４、３４、４４はその先端部の長さを略一致させてあり、また底フラップ１４、３４は同一形状に、底フラップ２４、４４は同一形に形成してある。
【００２２】
底フラップ１４、３４は、図３に示すように、その先端部にそれぞれ円弧状の延長部１５、３５を設けてあり、また前記延長部１５、３５を除いた位置であって表面側に縦方向に伸びる糊代１７、３７を設けてある。
【００２３】
底フラップ２４、４４には、図３に示すように、折り畳み線２９、４９を介して小片２５，４５を有しており、また前記小片２５，４５には横方向に伸びる糊代２７，４７を設けてある。なお、前記底フラップ２４、４４と小片２５，４５とによりそれぞれ接合点２６，４６（ロック部）が形成されている。
（上記組箱の下部側部の組立方法について）
（１）図４（ａ）に示すように、組箱を構成する紙片を展開した状態とする（上面は内側の面である）。
（２）図４（ｂ）に示すように、全ての底フラップ１５、２４、３４、４４を折り畳み線１２、２２、３２、４２のところで畳み込む。
（３）図４（ｃ）に示すように、小片２５、４５を折り畳み線２９、４９で折り畳む。この状態では、糊代１７、２７、３７、４７が全て前面を向いている。
（４）図４（ｄ）に示すように、糊代５９の部分を側壁片１の下方に挿入させて、上部から全体を押圧する。すると、糊代１９、５９相互が貼着状態になると共に、糊代１７、２７相互、及び糊代３７、４７相互がそれぞれ貼着状態になる。
（５）上記図４（ｄ）の折り畳まれた状態からその状態を解いていく（開いていく）と、底部は図５に示す状態に組みあがる。この状態においては、接合点２６、４６相互は交差結合しており、延長部１５は底フラップ２４上に、延長部３５は底フラップ４４上に位置している。この種の組箱では、図５や図６に示すように、底フラップ２４の先端上に底フラップ１４の延長部１５が大きく重なり、底フラップ４４先端上に底フラップ３４の延長部３５が大きく重なっている。
（不正開封防止機能付き組箱の優れた効果について）
上記した如く従来の上記不正開封防止機能付き組箱では、底部において一対の接合点相互が噛み合っていると共に適所に糊付けされているが、外部に露出している小片を底フラップから引き離して更に強く引っ張ると、簡単に底部が不正開封されてしまうという問題が発生していた。
【００２４】
これに対して、この実施例の不正開封防止機能付き組箱では、外部に露出している小片２５、４５を底フラップ２４、４４から引き離して、小片２５、４５を強く引っ張った場合でも、図６に示すように前記両方の凹部１５ａ、１５ａ相互の引っ掛かりにより、強固な交差結合が生じることになる。（接合点２６、４６相互が噛み合い以外の二つ目のロック）。
【００２５】
よって、簡単に底部が不正開封されるという事態は生じない。
【００２６】
なお、たとえ延長部１５、３５相互が完全に当接しない場合であっても十分にロックがかかることが明らかになっている。
（延長部１５、３５の大きさ等について）
延長部１５、３５はできるだけ幅が広く、長さも長い方がよいが、特に長さについては大きすぎると、（上記組箱の下部側部の組立方法）による円滑な組立ができなくなることを考慮すべきである。接合点２６、４６の位置（正方形の中心位置）から正方形の組箱の四分の一程度前記接合点２６、４６から突出していることが好ましい。
【００２７】
なお、図７は最も理想的な底フラップ１４、２４、３４、４４の寸法を示しているが、適正な基準となるのは側壁片１の幅寸法Ｄである。この幅寸法Ｄを基準としてＤ×αを計算し、図３の如き展開図を製作すれば、組立円滑で且つ交差結合（ロック）が十分なものにできる。
【図面の簡単な説明】
【００２８】
【図１】この発明の実施例の不正開封防止機能付き組箱の主として上部側から見た斜視図。
【図２】前記組箱を主として底面側から見た斜視図。
【図３】前記組箱の展開図。
【図４】前記組箱の下部側部の組立方法を示した工程図。
【図５】前記組箱の下部側部の組立てた直後の平面図。
【図６】両方の凹部相互の引っ掛かりにより、強固な交差結合が生じた状態を示す平面図。
【図７】理想的な底フラップの寸法を製作するための基準となる式を示す図。
【符号の説明】
【００２９】
１〜４        側壁片
５            糊代片
１１、３１    蓋フラップ      
４１          上蓋
４２          差込板
１４、２４、３４、４４    底フラップ
１５、３５    延長部
２５、４５    小片
２６、４６    接合点
１７、２７、３７、４７    糊代
【図１】
2010047303.tif 000003
【図２】
2010047303.tif 000004
【図３】
2010047303.tif 000005
【図４】
2010047303.tif 000006
【図５】
2010047303.tif 000007
【図６】
2010047303.tif 000008
【図７】
2010047303.tif 000009